(57)【要約】【課題】複合映像機器において、より高度で洗練されたスクリーンセーバー画像を提供できる映像機器の側でスクリーンセーバーを起動させる。【解決手段】複合映像機器１は、ＤＶＤ制御部８及びＤＶＤプレーヤ１０と、ＶＣＲ制御部９及びＶＣＲデッキ１１を備える。ＤＶＤ制御部８はスクリーンセーバー生成部１３を含む。復号映像機器１がＶＣＲモードになっている時はＶＣＲ制御部９がスクリーンセーバー起動条件が成就したかどうかを判定する。スクリーンセーバー起動条件が成就した折りにはスクリーンセーバー生成部１３が動作し、また映像出力部１４からの出力がＤＶＤに切り替わり、テレビ２０の画面２１にスクリーンセーバー画像が表示される。ＶＣＲ制御部９がスクリーンセーバー解除条件成就と判定したらスクリーンセーバーは解除される。【選択図】図２
2007235780.tif 000002
【特許請求の範囲】
【請求項１】
複数の映像機器部を備え、各映像機器部のモードで画面に映像を表示する複合映像機器において、
スクリーンセーバー起動条件判定手段を備え、また前記映像機器部のうち特定の種類のものはスクリーンセーバー生成手段を備え、前記スクリーンセーバー起動条件判定手段がスクリーンセーバー起動条件成就との判定を行ったとき、前記スクリーンセーバー生成手段が前記画面上にスクリーンセーバーを生成するものであり、
前記映像機器部のうち第１の種類のものはスクリーンセーバー起動条件判定手段とスクリーンセーバー生成手段の両方を備え、
前記映像機器部のうち第２の種類のものはスクリーンセーバー起動条件判定手段のみを備え、
前記第２の種類の映像機器部のスクリーンセーバー起動条件判定手段がスクリーンセーバー起動条件成就との判定を行ったときは、前記第１の種類の映像機器のスクリーンセーバー生成手段を利用してスクリーンセーバーを生成するものであり、
その映像機器部のモードで複合映像機器を使用中であるところの映像機器部のスクリーンセーバー起動条件判定手段がスクリーンセーバー起動条件の判定を行い、当該スクリーンセーバー起動条件判定手段は、スクリーンセーバー解除条件の判定も行うことを特徴とする複合映像機器。
【請求項２】
前記第１の種類の映像機器部がＤＶＤレコーダであり、前記第２の種類の映像機器部がビデオテープレコーダであることを特徴とする請求項１に記載の複合映像機器。
【請求項３】
複数の映像機器部を備え、各映像機器部のモードで画面に映像を表示する複合映像機器において、
スクリーンセーバー起動条件判定手段を備え、また前記映像機器部のうち特定の種類のものはスクリーンセーバー生成手段を備え、前記スクリーンセーバー起動条件判定手段がスクリーンセーバー起動条件成就との判定を行ったとき、前記スクリーンセーバー生成手段が前記画面上にスクリーンセーバーを生成することを特徴とする複合映像機器。
【請求項４】
前記映像機器部のうち第１の種類のものはスクリーンセーバー起動条件判定手段とスクリーンセーバー生成手段の両方を備え、
前記映像機器部のうち第２の種類のものはスクリーンセーバー起動条件判定手段のみを備え、
前記第２の種類の映像機器部のスクリーンセーバー起動条件判定手段がスクリーンセーバー起動条件成就との判定を行ったときは、前記第１の種類の映像機器のスクリーンセーバー生成手段を利用してスクリーンセーバーを生成することを特徴とする請求項３に記載の複合映像機器。
【請求項５】
その映像機器部のモードで複合映像機器を使用中であるところの映像機器部のスクリーンセーバー起動条件判定手段がスクリーンセーバー起動条件の判定を行うことを特徴とする請求項４に記載の複合映像機器。
【請求項６】
前記スクリーンセーバー起動条件判定手段は、スクリーンセーバー解除条件の判定も行うことを特徴とする請求３〜５のいずれか１項に記載の複合映像機器。
【発明の詳細な説明】
【技術分野】
【０００１】
本発明は複合映像機器に関する。複合映像機器とは、ＨＤレコーダ、ＤＶＤレコーダ、ビデオテープレコーダ（ＶＣＲ）のような映像機器の機能を複数組み合わせたものである。
【背景技術】
【０００２】
近年、家庭や職場における映像鑑賞手段の発達と普及には目覚ましいものがある。映像を表示するモニター装置としては、従来より主流を占めるテレビジョン受像機（以下「テレビ」と略称する）に加えて、テレビチューナ付パーソナルコンピュータや、プロジェクタなども広く用いられるようになっている。映像提供手段でも、テレビ放送（ケーブルテレビネットワークを含む）をはじめとして、セルビデオ、セルＤＶＤ、レンタルビデオ、レンタルＤＶＤなどのパッケージコンテンツ、ＨＤレコーダ、ＤＶＤレコーダ、ＶＣＲなどを利用して録画した映像、また通信回線を通じて入手する映像など、きわめて多様化している。
【０００３】
多様な映像提供手段より映像を得ようと思えば、必然的に他種類の映像機器を備えねばならないことになる。しかしながらテレビ置台の中の空間に映像機器を設置する場合、空間の大きさには限りがあるので、あまり多くの種類の映像機器を置くことはできない。この問題を克服するため、ＨＤレコーダ、ＤＶＤレコーダ、ＶＣＲといった複数の映像機器の機能を１台のセットにまとめた複合映像機器が開発され、市販されている。
【０００４】
複合映像機器の例を特許文献１に示す。特許文献１にはＤＶＤレコーダとＶＣＲを複合した複合映像機器が記載されている。
【０００５】
また映像機器の画像モニター手段として用いられるＣＲＴ、液晶パネル、プラズマディスプレイパネル等の画面には、画像に変化のない状態が長時間が続くとその画像が残像のようにうっすらと残る「焼き付き」現象が起こる。これを防ぐため、画像に変化のない状態が一定時間続くと自動的に動きを持った画像に切り替わる「スクリーンセーバー」機能が開発されている。スクリーンセーバー機能はパーソナルコンピュータでは一般的であるが、最近ではテレビやビデオ機器にも採用されるようになっている。その例を特許文献２、３に見ることができる。
【０００６】
特許文献２には、外部機器が接続されたテレビにおいて、外部機器のリモコンからのストップキー信号またはポーズキー信号を受信すると時間の計測を開始し、一定時間が経過するとスクリーンセーバーモードに移行するテレビが記載されている。特許文献３には、スクリーンにビデオ画像を表示する際、活性化されたビデオ画像以外のスクリーン面にスクリーンセーバーを表示するシステムが記載されている。
【特許文献１】特開２００５−３２８１７４号公報（［００２２］、図１）
【特許文献２】特開２００５−２７１１２号公報（［００５１］−［００５５］、図１、７）
【特許文献３】特開２００４−５０２３５２号公報（［００２７］−［００３５］、図１−３）
【発明の開示】
【発明が解決しようとする課題】
【０００７】
映像機器にスクリーンセーバー機能を持たせる場合、映像機器の種類によってスクリーンセーバーの画質は大きく変わる。例えばＶＣＲの場合、ＶＣＲが搭載するＯＳＤ（On Screen Display）機能だけでスクリーンセーバーを実現することは可能であるが、ＯＳＤには一般的に背景色が８色から択一、文字キャラクター数が最大で５１２等の制約があり、細かな描画表現が不可能なので、地味で貧相な画像になってしまう。これに比べ、ＤＶＤレコーダやＨＤレコーダはより高度で洗練されたスクリーンセーバー画像を提供できる。
【０００８】
本発明は上記の点に鑑みなされたものであって、複数の映像機器部を備えた複合映像機器において、スクリーンセーバーが必要な局面では、より高度で洗練されたスクリーンセーバー画像を提供できる映像機器の側でスクリーンセーバーを起動させ、グレードの低いスクリーンセーバー画像を目にしなくても済むようにすることを目的とする。
【課題を解決するための手段】
【０００９】
上記目的を達成するために、請求項１の発明は、複数の映像機器部を備え、各映像機器部のモードで画面に映像を表示する複合映像機器において、スクリーンセーバー起動条件判定手段を備え、また前記映像機器部のうち特定の種類のものはスクリーンセーバー生成手段を備え、前記スクリーンセーバー起動条件判定手段がスクリーンセーバー起動条件成就との判定を行ったとき、前記スクリーンセーバー生成手段が前記画面上にスクリーンセーバーを生成するものであり、前記映像機器部のうち第１の種類のものはスクリーンセーバー起動条件判定手段とスクリーンセーバー生成手段の両方を備え、前記映像機器部のうち第２の種類のものはスクリーンセーバー起動条件判定手段のみを備え、前記第２の種類の映像機器部のスクリーンセーバー起動条件判定手段がスクリーンセーバー起動条件成就との判定を行ったときは、前記第１の種類の映像機器のスクリーンセーバー生成手段を利用してスクリーンセーバーを生成するものであり、その映像機器部のモードで複合映像機器を使用中であるところの映像機器部のスクリーンセーバー起動条件判定手段がスクリーンセーバー起動条件の判定を行い、当該スクリーンセーバー起動条件判定手段は、スクリーンセーバー解除条件の判定も行う複合映像機器を提供する。
【００１０】
この構成によると、全ての映像機器部をスクリーンセーバー生成用に動員する必要がなく、より高度で洗練された画像のスクリーンセーバーを提供できる映像機器部だけ利用すれば良いので、グレードの低いスクリーンセーバー画像を目にしなくても済む。スクリーンセーバー機能を利用しない第２の種類の映像機器部にはスクリーンセーバー生成手段を持たせないこととして構成を簡素化し、コストを低減することができる。また使用中でない映像機器部ではスクリーンセーバー起動条件判定手段を休眠させておくことができ、省エネルギー効果を得ることができる。さらに、使用中の映像機器部でのみスクリーンセーバーの起動条件と解除条件の判定手段を行うから、使用中でない映像機器部は何もさせずに休眠させておくことができ、省エネルギー効果を増進することができる。
【００１１】
請求項２の発明は、請求項１の複合映像機器において、前記第１の種類の映像機器部がＤＶＤレコーダであり、前記第２の種類の映像機器部がビデオテープレコーダであるものとする。
【００１２】
この構成によると、複合映像機器がビデオテープレコーダのモードになっているときにスクリーンセーバーが必要になった折りにはＤＶＤレコーダからスクリーンセーバーが読み出されるから、常に高品質のスクリーンセーバーを楽しむことができる。
【００１３】
請求項３の発明は、複数の映像機器部を備え、各映像機器部のモードで画面に映像を表示する複合映像機器において、スクリーンセーバー起動条件判定手段を備え、また前記映像機器部のうち特定の種類のものはスクリーンセーバー生成手段を備え、前記スクリーンセーバー起動条件判定手段がスクリーンセーバー起動条件成就との判定を行ったとき、前記スクリーンセーバー生成手段が前記画面上にスクリーンセーバーを生成する複合映像機器を提供する。
【００１４】
この構成によると、全ての映像機器部をスクリーンセーバー生成用に動員する必要がなく、より高度で洗練された画像のスクリーンセーバーを提供できる映像機器部だけ利用すれば良いので、グレードの低いスクリーンセーバー画像を目にしなくても済む。
【００１５】
請求項４の発明は、請求項３の複合映像機器において、前記映像機器部のうち第１の種類のものはスクリーンセーバー起動条件判定手段とスクリーンセーバー生成手段の両方を備え、前記映像機器部のうち第２の種類のものはスクリーンセーバー起動条件判定手段のみを備え、前記第２の種類の映像機器部のスクリーンセーバー起動条件判定手段がスクリーンセーバー起動条件成就との判定を行ったときは、前記第１の種類の映像機器のスクリーンセーバー生成手段を利用してスクリーンセーバーを生成するものとする。
【００１６】
この構成によると、スクリーンセーバー機能を利用しない第２の種類の映像機器部にはスクリーンセーバー生成手段を持たせないこととして構成を簡素化し、コストを低減することができる。
【００１７】
請求項５の発明は、請求項４の複合映像機器において、その映像機器部のモードで複合映像機器を使用中であるところの映像機器部のスクリーンセーバー起動条件判定手段がスクリーンセーバー起動条件の判定を行うものとする。
【００１８】
この構成によると、使用中でない映像機器部ではスクリーンセーバー起動条件判定手段を休眠させておくことができ、省エネルギー効果を得ることができる。
【００１９】
請求項６の発明は、請求項３〜５のいずれかの複合映像機器において、前記スクリーンセーバー起動条件判定手段は、スクリーンセーバー解除条件の判定も行うものとする。
【００２０】
この構成によると、使用中の映像機器部でのみスクリーンセーバーの起動条件と解除条件の判定手段を行うから、使用中でない映像機器部は何もさせずに休眠させておくことができ、省エネルギー効果の増進が可能となる。
【発明の効果】
【００２１】
以上のように本発明の複合映像機器は、より高度で洗練された画像のスクリーンセーバーを提供できる映像機器部だけをスクリーンセーバー生成に利用して、グレードの低いスクリーンセーバー画像を排除できる。そしてスクリーンセーバー機能を利用しない映像機器部にはスクリーンセーバー生成手段を持たせないこととして構成を簡素化し、コストを低減することができる。また使用中の映像機器部でのみスクリーンセーバーの起動条件と解除条件の判定手段を行うこととして使用中でない映像機器部は何もさせずに休眠させておくことにより、省エネルギー効果を得ることができる。
【発明を実施するための最良の形態】
【００２２】
以下、添付図面を参照しつつ本発明の実施形態を説明する。図１はテレビに複合映像機器を接続した状態を示す概略正面図、図２は複合映像機器のブロック構成図、図３はスクリーンセーバー起動のフローチャートである。
【００２３】
複合映像機器１はＤＶＤレコーダの機能とＶＣＲの機能を合体したものであり、液晶パネルなどによる表示部２、操作キーやダイヤルの類を配置した操作部３、ＤＶＤ用のスロット４、及びビデオテープカセット用のスロット５が正面に配置されている。リモートコントローラ（以下「リモコン」と略称する）６（図２参照）が複合映像機器１に付属する。複合映像機器１には映像を表示するモニター手段としてテレビ２０が接続されている。
【００２４】
複合映像機器１には、ＤＶＤレコーダとＶＣＲに共通する構成要素として、表示部２及び操作部３の他、リモコン６からの信号を受信する受信部７（図２参照）が設けられている。受信した信号は、複合映像機器１がＤＶＤモードのときはＤＶＤ制御部８に伝達され、ＶＣＲモードのときはＶＣＲ制御部９に伝達される。ＤＶＤ制御部８はＤＶＤプレーヤ１０を制御し、ＶＣＲ制御部９はＶＣＲデッキ１１を制御する。ＤＶＤ制御部８とＶＣＲ制御部９はケーブル１２で接続され、双方向のデータ通信を行う。ＤＶＤ制御部８はスクリーンセーバー生成部１３を含む。スクリーンセーバー生成部１３はスクリーンセーバーライブラリを備え、その中から使用者が選択したスクリーンセーバーを生成する。ＤＶＤ制御部８及びＶＣＲ制御部９はスクリーンセーバー起動条件判定手段として機能する。
【００２５】
ＤＶＤ制御部８とＶＣＲ制御部９は映像出力部１４を通じてテレビ２０にＤＶＤあるいはビデオテープの映像信号と音声信号を出力する。また複合映像機器１はアンテナ１５に接続されたチューナ１６を備え、放送電波も信号化して映像出力部１４を通じテレビ２０に出力する。
【００２６】
複合映像機器１は、画像に変化のない状態が一定時間続くとテレビ２０の画面２１にスクリーンセーバー画像を表示する。その動作を図３のフローを参照しつつ説明する。
【００２７】
ステップ＃１０１ではスクリーンセーバー解除状態となっている。ステップ＃１０２では複合映像機器１がＶＣＲモードになっているかどうかを判定する。ＶＣＲモードになっていたらステップ＃１０３に進む。
【００２８】
ステップ＃１０３では、ＶＣＲ制御部９が、スクリーンセーバー起動条件が成就したかどうかを判定する。ビデオテープが終端に達して映像信号が無くなった、ＶＣＲモードのままテレビ放送を視聴していたところ、放送時間が終了して試験電波状態になった、ＶＣＲのメニュー画面を表示したなどの要因で画像に変化のない状態となり、それが一定時間継続したことをもってスクリーンセーバー起動条件は成就する。
【００２９】
スクリーンセーバー起動条件が成就したらステップ＃１０４に進む。ステップ＃１０４ではＤＶＤ制御部８のスクリーンセーバー生成部１３が動作してスクリーンセーバーが起動する。同時に映像出力部１４からの出力がＤＶＤに切り替わる。これにより、スクリーンセーバー生成部１３で生成されたスクリーンセーバーがテレビ２０の画面２１に表示されることになる。
【００３０】
スクリーンセーバーの起動後、ステップ＃１０５に進む。ステップ＃１０５では、ＶＣＲ制御部９が、スクリーンセーバー解除条件が成就したかどうかを判定する。操作部３あるいはリモコン６でなんらかのキー操作が行われたことをもってスクリーンセーバー解除条件は成就する。
【００３１】
スクリーンセーバー解除条件が成就したらステップ＃１０６に進む。ステップ＃１０６では映像出力部１４からの出力がＶＣＲに切り替わり、同時にスクリーンセーバー生成部１３は動作を停止する。これによりスクリーンセーバーは解除され、画面２１はＶＣＲ画面に戻る。スクリーンセーバー起動前の画面に戻るため、違和感を感じることはない。
【００３２】
ステップ＃１０２で複合映像機器１がＶＣＲモードでなかった場合、すなわちＤＶＤモードであった場合はステップ＃１０７に進む。
【００３３】
ステップ＃１０７では、ＤＶＤ制御部８が、スクリーンセーバー起動条件が成就したかどうかを判定する。スクリーンセーバー起動条件が成就したらステップ＃１０８に進む。
【００３４】
ステップ＃１０４ではＤＶＤ制御部８のスクリーンセーバー生成部１３が動作してスクリーンセーバーが起動する。映像出力部１４からの出力はＤＶＤのままである。これにより、スクリーンセーバー生成部１３で生成されたスクリーンセーバーがテレビ２０の画面２１に表示される。
【００３５】
スクリーンセーバーの起動後、ステップ＃１０９に進む。ステップ＃１０５では、ＤＶＤ制御部８が、スクリーンセーバー解除条件が成就したかどうかを判定する。スクリーンセーバー解除条件が成就したらステップ＃１１０に進む。
【００３６】
ステップ＃１１０ではスクリーンセーバー生成部１３は動作を停止する。これによりスクリーンセーバーは解除され、画面２１はＤＶＤ画面に戻る。スクリーンセーバー起動前の画面に戻るため、違和感を感じることはない。
【００３７】
以上本発明の実施形態につき説明したが、発明の主旨を逸脱しない範囲でさらに種々の変更を加えて実施することができる。
【産業上の利用可能性】
【００３８】
本発明は複合映像機器全般に利用可能である。
【図面の簡単な説明】
【００３９】
【図１】テレビに複合映像機器を接続した状態を示す概略正面図
【図２】複合映像機器のブロック構成図
【図３】スクリーンセーバー起動のフローチャート
【符号の説明】
【００４０】
１    複合映像機器
２    表示部
３    操作部
８    ＤＶＤ制御部
９    ＶＣＲ制御部
１０  ＤＶＤプレーヤ
１１  ＶＣＲデッキ
１３  スクリーンセーバー生成部
１４  映像出力部
２０  テレビ
２１  画面
【図１】
2007235780.tif 000003
【図２】
2007235780.tif 000004
【図３】
2007235780.tif 000005